【手続補正書】
【提出日】平成20年4月25日(2008.4.25)
【手続補正１】
【補正対象書類名】明細書
【補正対象項目名】発明の名称
【補正方法】変更
【補正の内容】
【発明の名称】撮像装置、交換レンズおよび撮像機能制御方法
【手続補正２】
【補正対象書類名】明細書
【補正対象項目名】特許請求の範囲
【補正方法】変更
【補正の内容】
【特許請求の範囲】
【請求項１】  レンズが着脱可能な撮像装置に装着する交換レンズであって、
上記撮像装置が有する所定の露出制御機能の動作を禁止するための機能制御情報を生成する制御情報生成手段と、
上記制御情報生成手段により生成した機能制御情報を上記撮像装置に送信する送信手段とを備えることを特徴とする交換レンズ。
【請求項２】  上記制御情報生成手段は、上記交換レンズのレンズの特性に応じて上記機能制御情報を生成することを特徴とする請求項１に記載の交換レンズ。
【請求項３】  レンズが着脱可能な撮像装置に装着する交換レンズであって、
上記撮像装置が有する撮像画像の画像データに所定の画像処理を施す画像処理機能の動作を禁止するための機能制御情報を生成する制御情報生成手段と、
上記制御情報生成手段により生成した機能制御情報を上記撮像装置に送信する送信手段とを備えることを特徴とする交換レンズ。
【請求項４】  上記制御情報生成手段は、上記交換レンズのレンズの特性に応じて上記機能制御情報を生成することを特徴とする請求項３に記載の交換レンズ。
【請求項５】  レンズが着脱可能な撮像装置であって、
上記撮像装置に装着した交換レンズから送信される上記撮像装置が有する所定の露出制御機能の動作を禁止するための機能制御情報を受信する受信手段と、
上記受信手段により受信した機能制御情報に基づいて、上記所定の露出制御機能に関する表示および動作の少なくとも一方を禁止する制御手段とを備えることを特徴とする撮像装置。
【請求項６】  レンズが着脱可能な撮像装置であって、
上記撮像装置に装着した交換レンズから送信される上記撮像装置が有する撮像画像の画像データに所定の画像処理を施す画像処理機能の動作を禁止するための機能制御情報を受信する受信手段と、
上記受信手段により受信した機能制御情報に基づいて、上記所定の画像処理機能に関する表示および動作の少なくとも一方を禁止する制御手段とを備えることを特徴とする撮像装置。
【請求項７】  撮像手段にレンズ手段を交換可能な撮像システムの撮像機能制御方法であって、
上記撮像手段が有する所定の露出制御機能の動作を禁止するための機能制御情報を上記レンズ手段から上記撮像手段に送信し、
上記送信された機能制御情報に基づいて、上記撮像手段が有する所定の露出制御機能に関する表示および動作の少なくとも一方を制御することを特徴とする撮像機能制御方法。
【請求項８】  撮像手段にレンズ手段を交換可能な撮像システムの撮像機能制御方法であって、
上記撮像手段が有する撮像画像の画像データに所定の画像処理を施す画像処理機能の動作を禁止するための機能制御情報を上記レンズ手段から上記撮像手段に送信し、
上記送信された機能制御情報に基づいて、上記撮像手段が有する所定の画像処理機能に関する表示および動作の少なくとも一方を制御することを特徴とする撮像機能制御方法。
【手続補正３】
【補正対象書類名】明細書
【補正対象項目名】０００１
【補正方法】変更
【補正の内容】
【０００１】
【発明の属する技術分野】
本発明は、撮像装置、交換レンズおよび撮像機能制御方法に関し、特に、レンズ交換可能なビデオカメラ等の撮像装置に用いて好適なものである。
【手続補正４】
【補正対象書類名】明細書
【補正対象項目名】０００８
【補正方法】変更
【補正の内容】
【０００８】
【課題を解決するための手段】
本発明の交換レンズは、レンズが着脱可能な撮像装置に装着する交換レンズであって、上記撮像装置が有する所定の露出制御機能の動作を禁止するための機能制御情報を生成する制御情報生成手段と、上記制御情報生成手段により生成した機能制御情報を上記撮像装置に送信する送信手段とを備えることを特徴とする。
【手続補正５】
【補正対象書類名】明細書
【補正対象項目名】０００９
【補正方法】変更
【補正の内容】
【０００９】
本発明の交換レンズは、レンズが着脱可能な撮像装置に装着する交換レンズであって、上記撮像装置が有する撮像画像の画像データに所定の画像処理を施す画像処理機能の動作を禁止するための機能制御情報を生成する制御情報生成手段と、上記制御情報生成手段により生成した機能制御情報を上記撮像装置に送信する送信手段とを備えることを特徴とする。
【手続補正６】
【補正対象書類名】明細書
【補正対象項目名】００１０
【補正方法】変更
【補正の内容】
【００１０】
本発明の撮像装置は、レンズが着脱可能な撮像装置であって、上記撮像装置に装着した交換レンズから送信される上記撮像装置が有する所定の露出制御機能の動作を禁止するための機能制御情報を受信する受信手段と、上記受信手段により受信した機能制御情報に基づいて、上記所定の露出制御機能に関する表示および動作の少なくとも一方を禁止する制御手段とを備えることを特徴とする。
【手続補正７】
【補正対象書類名】明細書
【補正対象項目名】００１１
【補正方法】変更
【補正の内容】
【００１１】
本発明の撮像装置は、レンズが着脱可能な撮像装置であって、上記撮像装置に装着した交換レンズから送信される上記撮像装置が有する撮像画像の画像データに所定の画像処理を施す画像処理機能の動作を禁止するための機能制御情報を受信する受信手段と、上記受信手段により受信した機能制御情報に基づいて、上記所定の画像処理機能に関する表示および動作の少なくとも一方を禁止する制御手段とを備えることを特徴とする。
【手続補正８】
【補正対象書類名】明細書
【補正対象項目名】００１２
【補正方法】変更
【補正の内容】
【００１２】
本発明の撮像機能制御方法は、撮像手段にレンズ手段を交換可能な撮像システムの撮像機能制御方法であって、上記撮像手段が有する所定の露出制御機能の動作を禁止するための機能制御情報を上記レンズ手段から上記撮像手段に送信し、上記送信された機能制御情報に基づいて、上記撮像手段が有する所定の露出制御機能に関する表示および動作の少なくとも一方を制御することを特徴とする。
【手続補正９】
【補正対象書類名】明細書
【補正対象項目名】００１３
【補正方法】変更
【補正の内容】
【００１３】
本発明の撮像機能制御方法は、撮像手段にレンズ手段を交換可能な撮像システムの撮像機能制御方法であって、上記撮像手段が有する撮像画像の画像データに所定の画像処理を施す画像処理機能の動作を禁止するための機能制御情報を上記レンズ手段から上記撮像手段に送信し、上記送信された機能制御情報に基づいて、上記撮像手段が有する所定の画像処理機能に関する表示および動作の少なくとも一方を制御することを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００７３
【補正方法】変更
【補正の内容】
【００７３】
【発明の効果】
以上、説明したように本発明によれば、装着した交換レンズ毎に撮像装置が有する所定の撮像機能の動作を禁止するとともに、撮影者に適正な撮像機能を容易に選択させ、適切な撮像機能を撮影者に提供することができる。したがって、撮影者は誤った撮像機能を選択することがなくなり、撮像機能が十分に機能しないという誤解が撮影者に生じることを防止することができる。